(57)【要約】【課題】文字情報入力の操作性を良くして文字情報の入力を容易にした携帯電話機の文字情報入力方法を提供する。【解決手段】本発明の携帯電話機１は、四つ折りの屏風のように、折り畳んだり、拡げたりできる四つ折り式の携帯電話機であり、第１の筺体１１の表示面には液晶タッチパネル２１が設けられ、第２の筺体１２の表示面には液晶タッチパネル２２が設けられ、第３の筺体１３の表示面には液晶タッチパネル２３が設けられ、第４の筺体１４には当該携帯電話機１を構成する電子部品とバッテリとが搭載され、携帯電話機１の各筺体を完全に開いた状態で、かな入力モードが選択された際、液晶タッチパネル２１，２２，２３を用いることにより、かな入力モードに必要な全ての入力キーが携帯電話機１の操作者の指の大きさに適応した大きさで表示され、かな入力モードの文字情報が入力される。【選択図】図４
2013042469.tif 000002
【特許請求の範囲】
【請求項１】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
を有し、
漢字かな混じりの日本語を入力するためのかな入力モードが選択された際、前記第１の筺体の表示一体型タッチパネル装置と前記第２の筺体の表示一体型タッチパネル装置と前記第３の筺体の表示一体型タッチパネル装置とを用いることにより、当該かな入力モードに必要な全ての入力キーが前記操作者の指の大きさに適応した大きさで表示され、当該かな入力モードの文字情報が入力されることを特徴とする携帯電話機の文字情報入力方法。
【請求項２】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
表示部と、この表示部の表示面上に配置されて操作者による接触があるとその接触位置を出力するタッチパネルとを含む表示一体型タッチパネル装置が設けられている第４の筺体と、
を有し、
漢字かな混じりの日本語を入力するためのかな入力モードが選択された際、前記第１の筺体の表示一体型タッチパネル装置と前記第２の筺体の表示一体型タッチパネル装置と前記第３の筺体の表示一体型タッチパネル装置と前記第４の筺体の表示一体型タッチパネル装置とを用いることにより、当該かな入力モードに必要な全ての入力キーが前記操作者の指の大きさに適応した大きさで表示され、当該かな入力モードの文字情報が入力されることを特徴とする携帯電話機の文字情報入力方法。
【請求項３】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
を有し、
漢字かな混じりの日本語を入力するためのかな入力モードが選択された際、前記第１の筺体の表示一体型タッチパネル装置と前記第２の筺体の表示一体型タッチパネル装置とを用いることにより、当該かな入力モードに必要な全ての入力キーが前記操作者の指の大きさに適応した大きさで表示され、当該かな入力モードの文字情報が入力されることを特徴とする携帯電話機の文字情報入力方法。
【請求項４】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
を有し、
前記第１の筺体の表示一体型タッチパネル装置と前記第２の筺体の表示一体型タッチパネル装置と前記第３の筺体の表示一体型タッチパネル装置とを用いることにより、選択された文字情報入力モードに必要な全ての入力キーが前記操作者の指の大きさに適応した大きさで表示され、当該文字情報入力モードの文字情報が入力されることを特徴とする携帯電話機の文字情報入力方法。
【請求項５】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
表示部と、この表示部の表示面上に配置されて操作者による接触があるとその接触位置を出力するタッチパネルとを含む表示一体型タッチパネル装置が設けられている第４の筺体と、
を有し、
前記第１の筺体の表示一体型タッチパネル装置と前記第２の筺体の表示一体型タッチパネル装置と前記第３の筺体の表示一体型タッチパネル装置と前記第４の筺体の表示一体型タッチパネル装置とを用いることにより、選択された文字情報入力モードに必要な全ての入力キーが前記操作者の指の大きさに適応した大きさで表示され、当該文字情報入力モードの文字情報が入力されることを特徴とする携帯電話機の文字情報入力方法。
【請求項６】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
を有し、
前記第１の筺体の表示一体型タッチパネル装置と前記第２の筺体の表示一体型タッチパネル装置とを用いることにより、選択された文字情報入力モードに必要な全ての入力キーが前記操作者の指の大きさに適応した大きさで表示され、当該文字情報入力モードの文字情報が入力されることを特徴とする携帯電話機の文字情報入力方法。
【発明の詳細な説明】
【技術分野】
【０００１】  この発明は、例えば携帯電話機において、文字情報の入力を容易にした携帯電話機の文字情報入力方法に関する。
【背景技術】
【０００２】  従来、携帯電話機では１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しくキーが小さいこともあって、例えば高齢者が敬遠するものとなっている。【０００３】  携帯電話機では特にキー打鍵回数が多くなり入力操作性が悪いということでキー数を少なくして入力するキー入力方法が提案されている（例えば特許文献１）。
また、二つ折り式携帯電話機にして表示部とキー部（入力部）とを分けてキー部における個々のキーを大きくしたものもある（例えば特許文献２）【０００４】  しかしながら、このような二つ折り式携帯電話機にしても、表示部はまだまだ小さく、キー部も小さく、特に高齢者には表示部の文字を見るのも、キー部から文字を入力するのも煩わしく操作性が悪かった。
【先行技術文献】
【特許文献】
【０００５】
【特許文献１】  特許公開２００５−４５００号公報
【特許文献２】  特許公開２００４−４８７１９号公報
【発明の概要】
【発明が解決しようとする課題】
【０００６】  上記したように、携帯電話機における表示部と入力部が小さく、表示部の文字を見るのも、入力部から文字を入力するのも煩わしく操作性が悪いという課題があった。
この発明の目的は、文字情報入力の操作性を良くして文字情報の入力を容易にした携帯電話機の文字情報入力方法を提供することである。
【課題を解決するための手段】
【０００７】  そこで、本発明は、音声入力部と音声出力部とを有する携帯電話機の文字情報入力方法であって、上記携帯電話機が、表示部と、この表示部の表示面上に配置されて操作者による接触があるとその接触位置を出力するタッチパネルとを含む表示一体型タッチパネル装置が設けられている第１の筺体と、表示部と、この表示部の表示面上に配置されて操作者による接触があるとその接触位置を出力するタッチパネルとを含む表示一体型タッチパネル装置が設けられている第２の筺体と、表示部と、この表示部の表示面上に配置されて操作者による接触があるとその接触位置を出力するタッチパネルとを含む表示一体型タッチパネル装置が設けられている第３の筺体とを有し、漢字かな混じりの日本語を入力するためのかな入力モードが選択された際、前記第１の筺体の表示一体型タッチパネル装置と前記第２の筺体の表示一体型タッチパネル装置と前記第３の筺体の表示一体型タッチパネル装置とを用いることにより、当該かな入力モードに必要な全ての入力キーが前記操作者の指の大きさに適応した大きさで表示され、当該かな入力モードの文字情報が入力されるようにしたものである。
【発明の効果】
【０００８】  本発明は、文字情報入力の操作性を良くして文字情報の入力を容易にした携帯電話機の文字情報入力方法を提供することが可能となる。
【図面の簡単な説明】
【０００９】
【図１】本発明の第１の実施形態が適用可能な携帯電話機の一例を示す外観図。
【図２】図１に示す携帯電話機をＡ方向から見た状態を示す外観図。
【図３】図１に示す携帯電話機をＡ方向から見て半分開いた状態を示す外観図。
【図４】携帯電話機の液晶タッチパネルにかな入力モードを表示した例を示す図。
【図５】第２の実施形態に係るヒンジレスの携帯電話機の例を示す外観図。
【図６】第３の実施形態に係る携帯電話機の一例を示す外観図。
【図７】第４の実施形態に係る携帯電話機の一例を示す外観図。
【発明を実施するための形態】
【００１０】  まず、第１の実施形態について説明する。
図１は、この発明に係る携帯電話機１の外観構成を示すものである。すなわち、この携帯電話機１のおもて面には、音声を入力するためのマイクが配置された音声入力部１０と、音声を出力するためのスピーカが配置された音声出力部２０とが設けられている。
なお、図１は、実際の携帯電話機とほぼ同じ寸法で作図されている。例えば、携帯電話機１の本体は、縦の長さが１１０ｍｍ、横幅が５０ｍｍである。
【００１１】  図２は、携帯電話機１を図１のＡ方向から見たものである。携帯電話機１は、第１の筺体１１と、第２の筺体１２と、第３の筺体１３と、第４の筺体１４とから構成されている。
第１の筺体１１と第２の筺体１２とが対峙するよう開閉自在にヒンジ部２を介して連結され、第２の筺体１２と第３の筺体１３とが対峙するよう開閉自在にヒンジ部３を介して連結され、第３の筺体１３と第４の筺体１４とが対峙するよう開閉自在にヒンジ部４を介して連結されている。
なお、第１の筺体１１に上記音声入力部１０と音声出力部２０とが設けられている。
【００１２】  図３は、携帯電話機１の各筺体を半開き状態にして図１のＡ方向から見たものである。第１の筺体１１と第２の筺体１２と第３の筺体１３と第４の筺体１４とで略Ｗの文字に似た状態となる。
第１の筺体１１と第２の筺体１２とはヒンジ部２を介して矢印ａ方向へ開くことができる。第２の筺体１２と第３の筺体１３とはヒンジ部３を介して矢印ｂ方向へ開くことができる。第３の筺体１３と第４の筺体１４とはヒンジ部４を介して矢印ｃ方向へ開くことができる。
【００１３】  すなわち、本発明の携帯電話機１は、四つ折りの屏風のように、折り畳んだり、拡げたりできる四つ折り式の携帯電話機である。
第１の筺体１１の表示面には、液晶表示装置及びその上に積層された静電容量式タッチパネルとからなる表示一体型タッチパネル装置である液晶タッチパネル２１が設けられている。
【００１４】  第２の筺体１２の表示面には、液晶表示装置及びその上に積層された静電容量式タッチパネルとからなる表示一体型タッチパネル装置である液晶タッチパネル２２が設けられている。
第３の筺体１３の表示面には、液晶表示装置及びその上に積層された静電容量式タッチパネルとからなる表示一体型タッチパネル装置である液晶タッチパネル２３が設けられている。
第４の筺体１４には、携帯電話機１を構成する電子部品（図示せず）と携帯電話機１のバッテリ（図示せず）とが搭載されている。
【００１５】  図４は、携帯電話機１の各筺体を完全に開いた状態を示すものである。図４において、上述したように、第１の筺体１１は液晶タッチパネル２１、第２の筺体１２は液晶タッチパネル２２、第３の筺体１３は液晶タッチパネル２３とを有している。
なお、図４も実際の携帯電話機とほぼ同じ寸法で作図されている。例えば、液晶タッチパネル２１，２２，２３は、縦４２ｍｍ、横７０ｍｍの大きさである。
【００１６】  図４は、漢字かな混じりの日本語を入力するための「かな入力モード」が選択されて、ひらがな（文字情報）を入力している状態を示している。
かな入力モードが選択された際、液晶タッチパネル２１，２２，２３を用いることにより、かな入力モードに必要な全ての入力キーが携帯電話機１の操作者（大人から子供までの人）の指の大きさに適応した大きさで表示される。それによって、かな入力（文字情報入力）の操作性を良くしてかな入力モードのひらがな（文字情報）が入力される。なお、かな入力モードに必要な全ての入力キーは、例えば、図４に示すようなキー群（あ、い、う…等）である。
また、液晶タッチパネル２１，２２，２３は入力キーが互いに関連して表示され、携帯電話機１の操作者の指が表示された入力キーのタッチパネルに触れる（接触）ことにより、接触位置からひらがな（文字情報）が入力される。
【００１７】  例えば、図４における入力キーは、１つが縦１０ｍｍで横１４ｍｍで表示される。この結果、従来の携帯電話機では実現できなかった携帯電話機１の操作者の指の大きさに適応（対応）した大きさの入力キーを表示することができる。なお、図４に示した入力キーの大きさは、固定したものではなく、操作者（大人から子供までの人）の指の大きさに適応した大きさに変更されて表示されるようにしてもよい。この場合、予め変更しておいてもよく、液晶タッチパネル２１，２２，２３から直接変更するようにしてもよい。
【００１８】  また、図４に示したような「かな入力モード（文字情報入力モード）」のほかに、「数字入力モード（文字情報入力モード）」、「英字入力モード（文字情報入力モード）」、さらにドイツ語、ハングル語等の外国語文字入力モード（文字情報入力モード）にも対応することができる。この場合、液晶タッチパネル２１，２２，２３を用いることにより、選択された文字情報入力モードに必要な全ての入力キーが携帯電話機１の操作者の指の大きさに適応した大きさで表示される。それによって、文字情報入力の操作性を良くして当該文字情報入力モードの文字情報が入力される。
【００１９】  「かな入力モード」に必要な全ての入力キーは、図４に示す例では５０個であるが、「数字入力モード」、「英字入力モード」、さらに外国語文字入力モードでは必要な全ての入力キーの数が５０個より少ないので、携帯電話機１の操作者の指の大きさに適応した大きさで表示されることは可能である。
なお、入力キーの大きさは、固定したものではなく、操作者（大人から子供までの人）の指の大きさに適応した大きさに変更されて表示されるようにしてもよい。この場合、予め変更しておいてもよく、液晶タッチパネル２１，２２，２３から直接変更するようにしてもよい。
【００２０】  本発明者（大人）が透明の定規に指を接触した場合、その接触範囲はおおよそ縦５ｍｍで横５ｍｍであった。この結果、上述した操作者（大人から子供までの人）の指の大きさに適応（対応）した大きさの入力キーとするには、接触範囲の誤差を考慮すると、一つの入力キーが少なくとも縦７ｍｍ以上で横７ｍｍ以上の大きさであることが望ましい。しかしながら、操作性を考慮すると、一つの入力キーは縦１０ｍｍ以上で横１０ｍｍ以上の大きさが望ましい。また、表示すべき入力キー数と液晶タッチパネルの総表示面の大きさとに制限されるが、操作性を考慮して、一つの入力キーは縦３０ｍｍ以下で横３０ｍｍ以下とするのが望ましい。
【００２１】  図４における１つの入力キーの大きさは、縦１０ｍｍで横１４ｍｍであるので十分に適応している。
【００２２】  また、本第１の実施形態における四つ折り式の携帯電話機では４つの筺体に３つの液晶タッチパネルを設けたが、三つ折り式の携帯電話機にして３つの筺体に３つの液晶タッチパネルを設けても上述した携帯電話機の文字情報入力方法が適用できる。
【００２３】  さらに、液晶タッチパネル２１，２２，２３に表示される画像情報（動画と静止画とを含む）と、液晶タッチパネル２１，２２，２３からのタッチパネル入力（タッチパネルの接触位置情報を含む）とにより、ゲームを展開（ゲーム操作）することもできる。
【００２４】  次に、第２の実施形態について説明する。
第２の実施形態は、ヒンジレスの携帯電話機である。
図５は、ヒンジレスの携帯電話機３０の例を示すもので、筺体３１の全体が一体化している。すなわち、筺体３１は、液晶タッチパネル４１が設けられている第１の筺体部（第１の筺体）３１ａ、折り曲げ部３１ｂ、液晶タッチパネル４２が設けられている第２の筺体部（第２の筺体）３１ｃ、折り曲げ部３１ｄ、液晶タッチパネル４３が設けられている第３の筺体部（第３の筺体）３１ｅ、折り曲げ部３１ｆ、電子部品（図示せず）とバッテリ（図示せず）とが搭載されている第４の筺体部（第４の筺体）３１ｇとから構成されている。
【００２５】  なお、筺体３１は、比較的柔らかい樹脂で構成されているので折り曲げ部３１ｂ，３１ｄ，３１ｆで各筺体部を折り曲げることができる。その結果、図１に示した四つ折り式で、折り畳んだり、拡げたりできる四つ折り式でヒンジレスの携帯電話機を実現することができる。
また、本第２の実施形態における四つ折り式の携帯電話機では４つの筺体に３つの液晶タッチパネルを設けたが、三つ折り式の携帯電話機にして３つの筺体に３つの液晶タッチパネルを設けてもヒンジレスの携帯電話機を実現することができる。
【００２６】  次に、第３の実施形態について説明する。
第３の実施形態における携帯電話機５０は、第１の実施形態で示した四つ折り式の携帯電話機の４つの筺体に対し、液晶タッチパネルを１つ増やして４つの液晶タッチパネルを設けたものである。同一箇所には同一符号を付して説明を省略する。
図６は、第３の実施形態における携帯電話機５０を示すもので、第４の筺体１４の表示面には、液晶表示装置及びその上に積層された静電容量式タッチパネルとからなる表示一体型タッチパネル装置である液晶タッチパネル２４が設けられている。
【００２７】  図６は、携帯電話機５０の各筺体を完全に開いた状態を示すものである。なお、図６も実際の携帯電話機とほぼ同じ寸法で作図されている。例えば、液晶タッチパネル２１，２２，２３，２４は、縦４２ｍｍ、横８０ｍｍの大きさである。
また、図６は、漢字かな混じりの日本語を入力するための「かな入力モード」が選択されて、ひらがな（文字情報）を入力している状態を示している。
【００２８】  かな入力モードが選択された際、液晶タッチパネル２１，２２，２３，２４を用いることにより、かな入力モードに必要な全ての入力キーが携帯電話機１の操作者の指の大きさに適応した大きさで表示される。それによって、かな入力（文字情報入力）の操作性を良くしてかな入力モードのひらがな（文字情報）が入力される。なお、かな入力モードに必要な全ての入力キーは、例えば、図６に示すようなキー群（あ、い、う…等）である。
【００２９】  また、液晶タッチパネル２１，２２，２３，２４は入力キーが互いに関連して表示され、携帯電話機５０の操作者の指が表示された入力キーのタッチパネルに触れる（接触）ことにより、接触位置からひらがな（文字情報）が入力される。
例えば、図６における入力キーは、１つが縦１４ｍｍ、横１６ｍｍで表示される。すなわち、液晶タッチパネル２４を増やすことにより、第１の実施形態の携帯電話機１に比べ、より大きい入力キーを表示することができる。
【００３０】  この結果、従来の携帯電話機では実現できなかった携帯電話機の操作者の指の大きさに適応（対応）した大きさの入力キーを表示することができる。なお、図６に示した入力キーの大きさは、固定したものではなく、操作者（大人から子供までの人）の指の大きさに適応した大きさに変更されて表示されるようにしてもよい。この場合、予め変更しておいてもよく、液晶タッチパネル２１，２２，２３，２４から直接変更するようにしてもよい。
【００３１】  また、図６に示したような「かな入力モード（文字情報入力モード）」のほかに、「数字入力モード（文字情報入力モード）」、「英字入力モード（文字情報入力モード）」、さらにドイツ語、ハングル語等の外国語文字入力モード（文字情報入力モード）にも対応することができる。
【００３２】  この場合、液晶タッチパネル２１，２２，２３，２４を用いることにより、選択された文字情報入力モードに必要な全ての入力キーが携帯電話機５０の操作者の指の大きさに適応した大きさで表示される。それによって、文字情報入力の操作性を良くして当該文字情報入力モードの文字情報が入力される。
【００３３】  「かな入力モード」に必要な全ての入力キーは、図６に示す例では５０個であるが、「数字入力モード」、「英字入力モード」、さらに外国語文字入力モードでは必要な全ての入力キーの数が５０個より少ないので、携帯電話機５０の操作者の指の大きさに適応した大きさで表示されることは可能である。
【００３４】  なお、入力キーの大きさは、固定したものではなく、操作者（大人から子供までの人）の指の大きさに適応した大きさに変更されて表示されるようにしてもよい。この場合、予め変更しておいてもよく、液晶タッチパネル２１，２２，２３，２４から直接変更するようにしてもよい。
【００３５】  また、液晶タッチパネル２１，２２，２３，２４に表示される画像情報（動画と静止画とを含む）と、液晶タッチパネル２１，２２，２３，２４からのタッチパネル入力（タッチパネルの接触位置情報を含む）とにより、ゲームを展開（ゲーム操作）することもできる。
【００３６】  次に、第４の実施形態について説明する。
第４の実施形態は、二つ折り式の携帯電話機である。
図７は、二つ折り式の携帯電話機６０を示すもので、第１の筺体６１と第２の筺体６２とが対峙するよう開閉自在にヒンジ部６３を介して連結されている。
【００３７】  第１の筺体６１の表示面には、液晶表示装置及びその上に積層された静電容量式タッチパネルとからなる表示一体型タッチパネル装置である液晶タッチパネル６４が設けられている。
第２の筺体６２の表示面には、液晶表示装置及びその上に積層された静電容量式タッチパネルとからなる表示一体型タッチパネル装置である液晶タッチパネル６５が設けられている。
【００３８】  図７は、携帯電話機６０における第１の筺体６１と第２の筺体６２とを完全に開いた状態を示すものである。なお、図７も実際の携帯電話機とほぼ同じ寸法で作図されている。例えば、液晶タッチパネル６４，６５は、縦７４ｍｍ、横５０ｍｍの大きさである。
また、図７は、漢字かな混じりの日本語を入力するための「かな入力モード」が選択されて、ひらがな（文字情報）を入力している状態を示している。
【００３９】  かな入力モードが選択された際、液晶タッチパネル６４，６５を用いることにより、かな入力モードに必要な全ての入力キーが携帯電話機１の操作者の指の大きさに適応した大きさで表示される。それによって、かな入力（文字情報入力）の操作性を良くしてかな入力モードのひらがな（文字情報）が入力される。なお、かな入力モードに必要な全ての入力キーは、例えば、図７に示すようなキー群（あ、い、う…等）である。
また、液晶タッチパネル６４，６５は入力キーが互いに関連して表示され、携帯電話機５０の操作者の指が表示された入力キーのタッチパネルに触れる（接触）ことにより、接触位置からひらがな（文字情報）が入力される。
【００４０】  例えば、図７における入力キーは、１つが縦１０ｍｍ、横１０ｍｍで表示される。
この結果、従来の携帯電話機では実現できなかった携帯電話機の操作者の指の大きさに適応（対応）した大きさの入力キーを表示することができる。なお、図７に示した入力キーの大きさは、固定したものではなく、操作者（大人から子供までの人）の指の大きさに適応した大きさに変更されて表示されるようにしてもよい。この場合、予め変更しておいてもよく、液晶タッチパネル６４，６５から直接変更するようにしてもよい。
【００４１】  また、図７に示したような「かな入力モード（文字情報入力モード）」のほかに、「数字入力モード（文字情報入力モード）」、「英字入力モード（文字情報入力モード）」、さらにドイツ語、ハングル語等の外国語文字入力モード（文字情報入力モード）にも対応することができる。この場合、液晶タッチパネル６４，６５を用いることにより、選択された文字情報入力モードに必要な全ての入力キーが携帯電話機６０の操作者の指の大きさに適応した大きさで表示される。それによって、文字情報入力の操作性を良くして当該文字情報入力モードの文字情報が入力される。
【００４２】  「かな入力モード」に必要な全ての入力キーは、図７に示す例では５０個であるが、「数字入力モード」、「英字入力モード」、さらに外国語文字モードでは必要な全ての入力キーの数が５０個より少ないので、携帯電話機６０の操作者の指の大きさに適応した大きさで表示されることは可能である。
なお、入力キーの大きさは、固定したものではなく、操作者（大人から子供までの人）の指の大きさに適応した大きさに変更されて表示されるようにしてもよい。この場合、予め変更しておいてもよく、液晶タッチパネル６４，６５から直接変更するようにしてもよい。
【００４３】  また、液晶タッチパネル６１，６２に表示される画像情報（動画と静止画とを含む）と、液晶タッチパネル６１，６２からのタッチパネル入力（タッチパネルの接触位置情報を含む）とにより、ゲームを展開（ゲーム操作）することもできる。
【００４４】  また、本第４の実施形態における二つ折り式の携帯電話機では２つの筺体に２つの液晶タッチパネルを設けたが、三つ折り式の携帯電話機にして３つの筺体に２つの液晶タッチパネルを設けても上述した携帯電話機の文字情報入力方法を適用できる。さらに、四つ折り式の携帯電話機にして４つの筺体に２つの液晶タッチパネルを設けても上述した携帯電話機の文字情報入力方法を適用できる。
【００４５】  以上説明したように上記実施形態によれば、携帯電話機を四つ折り式にして液晶タッチパネルを３つ用いて携帯電話機の操作者の指の大きさに適応（対応）した大きさの入力キーを表示することにより、操作性を向上させることができる。
また、携帯電話機を四つ折り式にして液晶タッチパネルを４つ用いて携帯電話機の操作者の指の大きさに適応（対応）した大きさの入力キーを表示することにより、操作性を向上させることができる。
また、携帯電話機を二つ折り式にして液晶タッチパネルを２つ用いて携帯電話機の操作者の指の大きさに適応（対応）した大きさの入力キーを表示することにより、操作性を向上させることができる。さらに、ヒンジレスの二つ折り式の携帯電話機も可能である。
また、携帯電話機と同じようなＰＨＳ，タブレット端末等の携帯端末に応用することも可能である。
【００４６】  また、ひらがなだけでなく、英語のアルファベット、ドイツ語、ハングル語等の外国語文字（文字情報）にも対応することができる。
なお、上記実施形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
【００４７】  また、操作者（大人から子供までの人）の指の大きさに適応（対応）した大きさの入力キーとするには、接触範囲の誤差を考慮すると、一つの入力キーが少なくとも縦７ｍｍ以上で横７ｍｍ以上の大きさであることが望ましい。しかしながら、操作性を考慮すると、一つの入力キーは縦１０ｍｍ以上で横１０ｍｍ以上の大きさが望ましい。また、表示すべき入力キー数と液晶タッチパネルの総表示面の大きさとに制限されるが、操作性を考慮して、一つの入力キーは縦３０ｍｍ以下で横３０ｍｍ以下とするのが望ましい。
【００４８】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４９】  １，３０，５０，６０…携帯電話機、２，３，４，６３…ヒンジ部、１０…音声入力部、１１，６１…第１の筺体、１２，６２…第２の筺体、１３…第３の筺体、１４…第４の筺体、２０…音声出力部、２１，２２，２３，２４，６４，６５…液晶タッチパネル（表示一体型タッチパネル装置）、３１…筺体。
【図１】
2013042469.tif 000003
【図２】
2013042469.tif 000004
【図３】
2013042469.tif 000005
【図４】
2013042469.tif 000006
【図５】
2013042469.tif 000007
【図６】
2013042469.tif 000008
【図７】
2013042469.tif 000009
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
当該携帯電話機を構成する電子部品と当該携帯電話機のバッテリとを搭載する第４の筺体と、
を有し、
漢字かな混じりの日本語を入力するためのかな入力モードが選択された際、前記第１の筺体の表示一体型タッチパネル装置と前記第２の筺体の表示一体型タッチパネル装置と前記第３の筺体の表示一体型タッチパネル装置とを用いることにより、当該かな入力モードに必要な全ての入力キーが前記操作者の指の大きさに適応した大きさで表示され、当該かな入力モードの文字情報が入力されることを特徴とする携帯電話機の文字情報入力方法。
【請求項２】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
当該携帯電話機を構成する電子部品と当該携帯電話機のバッテリとを搭載する第４の筺体と、
を有し、
前記第１の筺体、前記第２の筺体、前記第３の筺体、前記第４の筺体とが連結され、四つ折り屏風のように、折り畳んだり、拡げたりでき、
前記第１の筺体、前記第２の筺体、前記第３の筺体、前記第４の筺体とが拡げられた状態で漢字かな混じりの日本語を入力するためのかな入力モードが選択された際、前記第１の筺体の表示一体型タッチパネル装置と前記第２の筺体の表示一体型タッチパネル装置と前記第３の筺体の表示一体型タッチパネル装置とを用いることにより、当該かな入力モードに必要な全ての入力キーが前記操作者の指の大きさに適応した大きさで表示され、当該かな入力モードの文字情報が入力されることを特徴とする携帯電話機の文字情報入力方法。
【請求項３】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
当該携帯電話機を構成する電子部品と当該携帯電話機のバッテリとを搭載する第４の筺体と、
を有し、
前記第１の筺体の表示一体型タッチパネル装置と前記第２の筺体の表示一体型タッチパネル装置と前記第３の筺体の表示一体型タッチパネル装置とを用いることにより、遷択された文字情報入力モードに必要な全ての入力キーが前記操作者の指の大きさに適応した大きさで表示され、当該文字情報入力モードの文字情報が入力されることを特徴とする携帯電話機の文字情報入力方法。
【請求項４】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
表示部と、この表示部の表示面上に配置されて操作者による接触があるとその接触位置を出力するタッチパネルとを含む表示一体型タッチパネル装置が設けられている第２の筺体と、
表示部と、この表示部の表示面上に配置されて操作者による接触があるとその接触位置を出力するタッチパネルとを含む表示一体型タッチパネル装置が設けられている第３の筺体と、
当該携帯電話機を構成する電子部品と当該携帯電話機のバッテリとを搭載する第４の筺体と、
を有し、
前記第１の筺体、前記第２の筺体、前記第３の筺体、前記第４の筺体とが連結され、四つ折り屏風のように、折り畳んだり、拡げたりでき、
前記第１の筺体、前記第２の筺体、前記第３の筺体、前記第４の筺体とが拡げられた状態で前記第１の筺体の表示一体型タッチパネル装置と前記第２の筺体の表示一体型タッチパネル装置と前記第３の筺体の表示一体型タッチパネル装置とを用いることにより、選択された文字情報入力モードに必要な全ての入力キーが前記操作者の指の大きさに適応した大きさで表示され、当該文字情報入力モードの文字情報が入力されることを特徴とする携帯電話機の文字情報入力方法。